(57)【要約】【課題】結像品質を向上することのできるズームレンズを提供する。【解決手段】本発明によるズームレンズは負の屈折力を有する第一のレンズ群と正の屈折力を有する第二のレンズ群を含む。第一のレンズ群は、対象物側から画像側へ順に配置される第一のレンズ、第二のレンズ、第三のレンズ及び第四のレンズを含み、当該レンズの屈折力は、夫々、負、負、負、正である。第一のレンズと第二のレンズは共に、凸面が対象物側に向ける凹凸レンズであり、第二のレンズの両表面は非球面である。第三のレンズは両凹レンズである。第四のレンズは両凸レンズである。第二のレンズ群は画像側と第一のレンズ群の間に配置される。第二のレンズ群は、対象物側から画像側へ順に第五のレンズ、第六のレンズ、第七のレンズ、第八のレンズ及び第九のレンズを含み、当該レンズの屈折力は、夫々、正、正、正、負、正である。第七のレンズと第八のレンズは、凸面が対象物側に向ける接合複レンズを形成し、第九のレンズは両凸レンズである。【選択図】図1
2008116915.tif 000002
【特許請求の範囲】
【請求項１】
ズームレンズであって、
負の屈折力を有する第一のレンズ群であって、当該第一のレンズ群は、対象物側から画像側へ順に配置される第一のレンズ、第二のレンズ、第三のレンズ及び第四のレンズを含み、当該第一のレンズ、第二のレンズ、第三のレンズ及び第四のレンズの屈折力は、それぞれ、負、負、負及び正であり、当該第一のレンズと当該第二のレンズは共に、凸面が当該対象物側に向ける凹凸レンズであり、当該第二のレンズの両表面は共に、非球面であり、当該第三のレンズは、両凹レンズであり、当該第四のレンズは、両凸レンズである第一のレンズ群と、
前記第一のレンズ群と前記画像側との間に配置され、正の屈折力を有する第二のレンズ群であって、当該第二のレンズ群は、対象物側から画像側へ順に配置される第五のレンズ、第六のレンズ、第七のレンズ、第八のレンズ及び第九のレンズを含み、当該第五のレンズ、第六のレンズ、第七のレンズ、第八のレンズ及び第九のレンズの屈折力は、それぞれ、正、正、正、負及び正であり、当該第七のレンズと当該第八のレンズは、凸面が前記対象物側に向ける接合複レンズを形成し、当該第九のレンズは、両凸レンズである第二のレンズ群と、
を含み、
前記第一のレンズ群と前記第二のレンズ群は、前記対象物側と前記画像側との間で移動する、
ズームレンズ。
【請求項２】
前記ズームレンズは、前記第二のレンズ群に設けられる開口絞りをさらに含む、
請求項１に記載のズームレンズ。
【請求項３】
前記開口絞りは、前記第八のレンズの一表面に設けられ、当該表面は、前記第九のレンズに対向する、
請求項２に記載のズームレンズ。
【請求項４】
ズームレンズであって、
負の屈折力を有する第一のレンズ群であって、当該第一のレンズ群は、対象物側から画像側へ順に配置される第一のレンズ、第二のレンズ、第三のレンズ及び第四のレンズを含み、当該第一のレンズ、第二のレンズ、第三のレンズ及び第四のレンズの屈折力は、それぞれ、負、負、負及び正であり、当該第一のレンズと当該第二のレンズは共に、凸面が当該対象物側に向ける凹凸レンズであり、当該第二のレンズの両表面は共に、非球面であり、当該第三のレンズは、両凹レンズであり、当該第四のレンズは、両凸レンズである第一のレンズ群と、
前記第一のレンズ群と前記画像側との間に配置され、正の屈折力を有する第二のレンズ群であって、前記第一のレンズ群と当該第二のレンズ群は、前記対象物側と前記画像側との間で移動する第二のレンズ群と、
を含み、
前記第一のレンズ群の焦点距離をＦ１とし、前記第二のレンズと前記第三のレンズの焦点距離をそれぞれＦＬ２とＦＬ３とすれば、Ｆ１とＦＬ２とＦＬ３とは、７＜ＦＬ２／Ｆ１＜１３と０．５＜ＦＬ３／Ｆ１＜１．５を満たす、
ズームレンズ。
【請求項５】
前記第二のレンズ群は、対象物側から画像側へ順に配置される第五のレンズ、第六のレンズ、第七のレンズ、第八のレンズ及び第九のレンズを含み、当該第五のレンズ、第六のレンズ、第七のレンズ、第八のレンズ及び第九のレンズの屈折力は、それぞれ、正、正、正、負及び正であり、当該第七のレンズと当該第八のレンズは、凸面が前記対象物側に向ける接合複レンズを形成し、当該第九のレンズは、両凸レンズである、
請求項４に記載のズームレンズ。
【請求項６】
前記ズームレンズは、前記第二のレンズ群に配置される開口絞りをさらに含む、
請求項４に記載のズームレンズ。
【請求項７】
前記第一のレンズ群と前記第二のレンズ群の焦点距離を、それぞれ、Ｆ１とＦ２とし、前記ズームレンズが広角端にあるときにおける焦点距離をＦｗとすれば、Ｆ１とＦ２とＦｗとは、１＜｜Ｆ１｜／Ｆｗ＜２と０．８＜Ｆ２／｜Ｆ１｜＜１．３を満たす、
請求項１または４に記載のズームレンズ。
【請求項８】
前記ズームレンズは、開口絞りをさらに含み、当該開口絞りは、前記第八のレンズの一表面に設けられ、当該表面は、前記第九のレンズに対向する、
請求項５に記載のズームレンズ。
【請求項９】
前記第一のレンズ群は、第一のレンズ、第二のレンズ、第三のレンズ及び第四のレンズから構成され、前記第二のレンズ群は、第五のレンズ、第六のレンズ、第七のレンズ、第八のレンズ及び第九のレンズから構成される、
請求項１または５に記載のズームレンズ。
【請求項１０】
前記第七のレンズと前記第八のレンズがｄ線に対する屈折率を、それぞれ、ｎ７とｎ８とし、前記第七のレンズと前記第八のレンズの中心厚みを、それぞれ、ｄ７とｄ８とし、前記第七のレンズと前記第八のレンズのアッベ数を、それぞれ、ｖ７とｖ８とすれば、ｎ７、ｎ８、ｄ７、ｄ８、ｖ７及びｖ８は、０．２≦ｎ８−ｎ７≦０．４、ｄ７＞ｄ８及び４５≦ｖ７−ｖ８≦６５を満たす、
請求項１または５に記載のズームレンズ。
【発明の詳細な説明】
【技術分野】
【０００１】
本発明は、レンズに関し、特に、ズームレンズに関する。
【背景技術】
【０００２】
現代科学技術の進歩につれて、投影機、デジタル撮影機及びデジタルカメラなどの映像装置は、広い範囲で用いられている。これらの映像装置における主要な素子のうち一つは、ズームレンズである。映像がズームレンズにより結像されるので、ズームレンズの光学的品質が結像された映像の品質に大きな影響を与える。従って、各メーカは、ズームレンズの光学的品質を向上し、製造コストを削減することができる技術の開発に力を入れている。
【０００３】
従来技術では、広角且つコンパクトを達成するために、一般的に、ズームレンズが二つのレンズ群より構成され、そのうち、対象物側（Ｏｂｊｅｃｔ  Ｓｉｄｅ）に接近する第一のレンズ群は、負の屈折力（Ｒｅｆｒａｃｔｉｖｅ  Ｐｏｗｅｒ）を有し、第二のレンズ群は、正の屈折力を有する。即ち、第一のレンズ群は、光線を発散するために用いられが、第二のレンズ群は、光線を収束するために用いられる。
【０００４】
しかし、広角で且つ二つのレンズ群からなる従来のズームレンズのＦ値（Ｆ−ｎｕｍｂｅｒ）が、全て３．５より大きいので、大きい口径比（Ｒｅｌａｔｉｖｅ  Ａｐｅｒｔｕｒｅ）を得ることができない。また、このようなズームレンズが広角端（Ｗｉｄｅ  Ｅｎｄ）にあるときに、解消されにくい歪み（Ｄｉｓｔｏｒｔｉｏｎ）が生じることがある。従来技術では、通常、二種類の方法を用いてこの歪み問題を改善する。そのうち、一つは、第一のレンズ群における正のレンズまたは第二のレンズ群における負のレンズの位置を開口絞り（Ａｐｅｒｔｕｒｅ  Ｓｔｏｐ）から離れさせる方法であり、しかし、この方法は、第一のレンズ群または第二のレンズ群のレンズのサイズを大きくさせるのみならず、ズームレンズ全体の長さを長くさせるので、コンパクトの構造を達成することができない。もう一つは、第一のレンズ群における正のレンズまたは第二のレンズ群における負のレンズの屈折力を大きくさせる方法である。ところが、第一のレンズ群における正のレンズの屈折力を大きくすると、第一のレンズ群における他の負のレンズの屈折力を大きくしなければならないので、高階の歪み収差（Ｄｉｓｔｏｒｔｉｏｎ  Ａｂｅｒｒａｔｉｏｎ）とコマ収差（Ｃｏｍａ  Ａｂｅｒｒａｔｉｏｎ）を生成し、結像の品質が悪くなる。同様に、第二のレンズ群における負のレンズの屈折力を大きくすると、結像の品質も悪くなる。
【発明の開示】
【発明が解決しようとする課題】
【０００５】
本発明の目的は、結像の品質を向上することのできるズームレンズを提供することにある。
【課題を解決するための手段】
【０００６】
前述した目的を達成するために、本発明によるズームレンズは、負の屈折力を有する第一のレンズ群と、正の屈折力を有する第二のレンズ群とを有する。第一のレンズ群は、対対象側から画像側（Ｉｍａｇｅ  Ｓｉｄｅ）へ順に配列される第一のレンズ、第二のレンズ、第三のレンズ及び第四のレンズを有し、且つ、その屈折力は、それぞれ、負、負、負、正である。第一のレンズと第二のレンズは共に、その凸面が対象物側に向ける凹凸レンズ（Ｍｅｎｉｓｃｕ  Ｌｅｎｓ）であり、且つ、第二のレンズの両表面が非球面である。また、第三のレンズは両凹レンズであり、第四のレンズは両凸レンズである。また、第二のレンズ群は、第一のレンズ群と画像側との間に配置され、且つ、第一のレンズ群と第二のレンズ群は、対象物側と画像側との間で移動する。第二のレンズ群は、対象物側から画像側へ順に配置される第五のレンズ、第六のレンズ、第七のレンズ、第八のレンズ及び第九のレンズを有し、且つ、その屈折力は、それぞれ、正、正、正、負、正である。第七のレンズと第八のレンズとは、凸面が対象物側に向ける接合複レンズ（Ｃｅｍｅｎｔｅｄ  Ｄｏｕｂｌｅｔ  Ｌｅｎｓ）を形成するが、第九のレンズは、両凸レンズである。
【０００７】
本発明の一実施例において、前述したズームレンズは、（１）１＜｜Ｆ１｜／｜Ｆｗ｜＜２と（２）０．８＜Ｆ２／｜Ｆ１｜＜１．３との条件を満たす。そのうち、Ｆ１とＦ２はそれぞれ第一のレンズ群と第二のレンズ群の焦点距離であり、Ｆｗは、ズームレンズが広角端にあるときの焦点距離である。
【０００８】
本発明の一実施例において、前述したズームレンズは、（１）０．２≦ｎ８-ｎ７≦０．４、（２）ｄ７＞ｄ８及び（３）４５≦ｖ７−ｖ８≦６５との条件を満たす。そのうち、ｎ７とｎ８は、それぞれ、第七のレンズと第八のレンズのｄ線（ｄ  line）に対する屈折率であり、ｄ７とｄ８は、それぞれ、第七のレンズと第八のレンズの中心厚みであり、ｖ７とｖ８は、それぞれ、第七のレンズと第八のレンズのアッベ数（Ａｂｂｅ  Ｎｕｍｂｅｒ）である。
【０００９】
本発明の一実施例において、前述したズームレンズは、さらに、第二のレンズ群に配置される開口絞りを有する。
【００１０】
本発明の一実施例において、前述した開口絞りは、第八のレンズの表面に配置され、且つ、この表面は、第九のレンズと対向する。
【００１１】
また、本発明による他のズームレンズは、負の屈折力を有する第一のレンズ群と正の屈折力を有する第二のレンズ群とを有する。第一のレンズ群は、対象側から画像側へ順に配置される第一のレンズ、第二のレンズ、第三のレンズ及び第四のレンズを有し、且つ、その屈折力は、それぞれ、負、負、負、正である。第一のレンズと第二のレンズは、全て凸面が対象物側に向ける凹凸レンズであり、且つ、第二のレンズの両表面は、全て非球面である。第三のレンズは両凹レンズであるが、第四のレンズは両凸レンズである。また、第二のレンズ群は、第一のレンズ群と画像側との間に配置され、且つ、第一のレンズ群と第二のレンズ群は、対象物側と画像側との間で移動する。また、第一のレンズ群の焦点距離をＦ１とし、第二のレンズ群と第三のレンズ群の焦点距離をそれぞれＦＬ２とＦＬ３とすれば、Ｆ１とＦＬ２とＦＬ３とは、７＜ＦＬ２／Ｆ１＜１３と０．５＜ＦＬ３／Ｆ１＜１．５を満たす。
【００１２】
本発明の一実施例において、前述した第二のレンズ群は、対象物側から画像側へ順に配列される第五のレンズ、第六のレンズ、第七のレンズ、第八のレンズ及び第九のレンズを含み、その屈折力は、それぞれ、正、正、正、負、正である。第七のレンズと第八のレンズは、凸面が対象物に向ける接着複レンズを形成するが、第九のレンズは、両凸レンズである。
【００１３】
本発明の一実施例において、前述したズームレンズは、（１）０．２≦ｎ８−ｎ７≦０．４、（２）ｄ７＞ｄ８及び（３）４５≦ｖ７−ｖ８≦６５という条件を満たす。そのうち、ｎ７とｎ８は、それぞれ、第七のレンズと第八のレンズの中心厚みであり、ｖ７とｖ８は、それぞれ、第七のレンズと第八のレンズのアッベ数である。
【００１４】
本発明の一実施例において、前述したズームレンズは、開口絞りをさらに含み、該開口絞りは、第八のレンズの一表面に配置され、該表面は、第九のレンズと対向する。
【００１５】
本発明の一実施例において、前述したズームレンズは、第二のレンズ群に配置される開口絞りをさらに含む。
【００１６】
本発明の一実施例において、前述したズームレンズは、（１）１＜｜Ｆ１｜／｜Ｆｗ｜＜２と（２）０．８＜Ｆ２／｜Ｆ１｜＜１．３という条件を満たす。そのうち、Ｆ１とＦ２は、それぞれ、第一のレンズ群と第二のレンズ群の焦点距離であり、Ｆｗは、ズームレンズが広角端にあるときの焦点距離である。
【発明の効果】
【００１７】
本発明は、第一のレンズ群における第二のレンズが二つの非球面を有するレンズを採用するので、歪み収差を有効に改善することができる。これにより、本発明のズームレンズは、焦点距離を変更する際においても良好な結像品質を維持することができる。
【発明を実施するための最良の形態】
【００１８】
次に、添付した図面を参照しながら、本発明の好適な実施形態を詳細に説明する。
【００１９】
図１は、本発明の一実施例に係わるズームレンズが広角端と望遠端（Ｔｅｌｅ  Ｅｎｄ）に位置するときの様子を示す図である。そのうち、図１の上半部は、ズームレンズが広角端に位置するときの様子を示す図であり、図１の下半部は、ズームレンズが望遠端に位置するときの様子を示す図である。図１に示すように、本実施例のズームレンズ１００は、負の屈折力を有する第一のレンズ群１１０と正の屈折力を有する第二のレンズ群１２０を有する。第一のレンズ群１１０は、対象物側から画像側へ順に配置される第一のレンズ１１２、第二のレンズ１１４、第三のレンズ１１６及び第四のレンズ１１８を含み、且つ、その屈折力は、それぞれ、負、負、負、正である。第一のレンズ１１２と第二のレンズ１１４は共に、凸面が対象物側に向ける凹凸レンズであり、第二のレンズ１１４の両表面Ｓ３、Ｓ４は共に非球面であり、第三のレンズ１１６は両凹レンズであり、第四のレンズ１１８は両凸レンズである。また、第二のレンズ群１２０は、第一のレンズ群と画像側との間に配置される。
【００２０】
続いて、第二のレンズ群１２０は、例えば、対象物側から画像側へ順に配置される第五のレンズ１２２、第六のレンズ１２４、第七のレンズ１２６、第八のレンズ１２７及び第九のレンズ１２８を含み、且つ、その屈折力は、それぞれ、正、正、正、負、正である。第五のレンズ１２２は、例えば、両凸レンズであり、第六のレンズ１２４は、例えば、凸面が対象物側に向ける凹凸レンズであり、第七のレンズ１２６と第八のレンズ１２７は、凸面が対象物側に向ける接着複レンズを形成するが、第九のレンズ１２８は、両凸レンズである。
【００２１】
前述したズームレンズ１００には、第一のレンズ群１００と第二のレンズ群１２０が対象物側と画像側と間で移動する。具体的に言えば、ズームレンズ１００の倍率を広角端から望遠端に調整しようとするときに、第一のレンズ群１１０と第二のレンズ群１２０を互いに接近する方向に移動させ、ズームレンズ１００の倍率を望遠端から広角端に調整しようとするときに、第一のレンズ群１１０と第二のレンズ群１２０を互いに離れる方向に移動させる。また、ズームレンズ１１０は、開口絞り（図示せず）をさらに含み、それは第二のレンズ群１２０に配置される。例えば、開口絞りは、第九のレンズ１２８に向ける第八のレンズ１２７の表面Ｓ１５に配置されても良い。
【００２２】
本実施例において、第一のレンズ群１１０と第二のレンズ群１２０の屈折力がそれぞれ負と正である組合せを採用し、また、二つの非球面を有する第二のレンズ１１４と一緒に使用するので、歪み収差を有効に改善することができる。これにより、ズームレンズ１００は、焦点距離を変更する際においても、良好な結像品質を維持することができる。また、本実施例において、歪み問題を改善するための従来の二つの方法を使用する必要がないので、高階の歪み収差とコマ収差の生成を避けることができるのみならず、ズームレンズ１００全体の構造をコンパクトにさせることもできる。また、開口絞りを第二のレンズ群１２０に設置することにより、焦点距離を変更する際に生じる歪み収差を減少し、ズームレンズ１００の長さを有効に短くすることができるので、ズームレンズ１００の構造がよりコンパクトになる。
【００２３】
結像の品質を確保するために、ズームレンズ１００に（１）７＜ＦＬ２／Ｆ１＜１３と（２）０．５＜ＦＬ３／Ｆ１＜１．５の条件を満足させる。そのうち、Ｆ１は第一のレンズ群の焦点距離であり、ＦＬ２とＦＬ３はそれぞれ第二のレンズ１１４と第三のレンズ１１６の焦点距離である。また、結像の品質を確保するために、ズームレンズ１００に（１）１＜｜Ｆ１｜／｜Ｆｗ｜＜２と（２）０．８＜Ｆ２／｜Ｆ１｜＜１．３の条件を満足させても良い。そのうち、Ｆ１とＦ２はそれぞれ第一のレンズ群と第二のレンズ群の焦点距離であり、Ｆｗはズームレンズが広角端にあるときの焦点距離である。
【００２４】
本実施例では、第七のレンズ１２６と第八のレンズ１２７の屈折率、厚み及びアッベ数を設計することにより、ズームレンズ１００の結像品質を確保することができる。より詳細に言えば、本実施例において、ズームレンズ１００に（１）０．２≦ｎ８−ｎ７≦０．４、（２）ｄ７＞ｄ８及び（３）４５≦ｖ７−ｖ８≦６５との条件を満足させる。そのうち、ｎ７とｎ８は、それぞれ第七のレンズ１２６と第八のレンズ１２７がｄ線（波長が５８７．６ｍｍである光線）に対する屈折率であり、ｄ７とｄ８はそれぞれ第七のレンズと第八のレンズの中心厚みであり、ｖ７とｖ８はそれぞれ第七のレンズ１２６と第八のレンズ１２７のアッベ数である。
【００２５】
次の表１は、ズームレンズ１００の好適な一実施例を示すものである。しかし、本発明は、次の表１に挙げられているデータに限られず、本発明に基づいて本発明に対するあらゆる変更は本発明の範囲に属する。
【００２６】
【表１】
2008116915.tif 000003
表１において、曲率半径は、各表面の曲率半径であり、距離は、隣接する二つの表面間の距離であり、例えば、表面Ｓ１の距離は、表面Ｓ１から表面Ｓ２までの距離である。備考欄における各レンズの対応する厚み、屈折率及び色拡散値は、同列における各距離、屈折率及びアッベ数の対応する値を参照する。また、表１には、表面Ｓ１、Ｓ２は、それぞれ、第二のレンズ１１４と離れる及び隣接する第一のレンズ１１２の表面である。表面Ｓ３、Ｓ４は、それぞれ、第三のレンズ１１６と離れる及び隣接する第二のレンズ１１４の表面である。表面Ｓ５、Ｓ６は、それぞれ、第四のレンズ１１８と離れる及び隣接する第三のレンズ１１６の表面である。表面Ｓ７、Ｓ８は、それぞれ、第五のレンズ１２２と離れる及び隣接する第四のレンズ１１８の表面である。表面Ｓ９、Ｓ１０は、それぞれ、第六のレンズ１２４と離れる及び隣接する第五のレンズ１２２の表面である。表面Ｓ１１、Ｓ１２は、それぞれ、第七のレンズ１２６と離れる及び隣接する第六のレンズ１２４の表面である。表面Ｓ１３は、第八のレンズ１２７と離れる第七のレンズ１２６の表面である。表面Ｓ１４は、第七のレンズ１２６と第八のレンズ１２７との接合面である。表面Ｓ１５は、第九のレンズ１２８と隣接する第八のレンズの表面であり、且つ、開口絞りは、表面Ｓ１５に配置される。表面Ｓ１６、Ｓ１７は、それぞれ、第八のレンズ１２７と隣接する及び離れる第九のレンズの表面である。
【００２７】
また、表面Ｓ３、Ｓ４は、非球面であり、非球面の公式は、次の通りである。
【００２８】
X=(1+R)H2/(1+(1-(1+K)(H/R)2))1/2)+AH4+BH6+CH8+DH10
そのうち、Ｘは光軸方向の偏移量である。Ｒは接触球の半径であり、即ち、光軸に接近するところの曲率半径（表１に示すＳ３、Ｓ４の曲率半径）である。Ｋは円錐定数である。Ｈは非球面の高さであり、即ち、レンズ中心からレンズ縁部までの高さであり、前記公式によれば、様々なＨが様々なＸに対応する。Ａ、Ｂ、Ｃ、Ｄは、非球面係数である。表面Ｓ３、Ｓ４の非球面係数及びＫの値は、表２に示されている。
【００２９】
【表２】
2008116915.tif 000004
【００３０】
【表３】
2008116915.tif 000005
表３は、ズームレンズ１００がそれぞれ広角端と望遠端にあるときにおける重要なパラメータをリストし、これらの重要なパラメータは、有効焦点距離、視角（Ｆｉｅｌｄ  Ｏｆ  Ｖｉｅｗ：ＦＯＶ）、ｆ数及び表面Ｓ８、Ｓ１７の可変距離を含む。また、この好適な実施例において、｜Ｆ１｜／Ｆｗ＝１．８８０、ＦＬ２／Ｆ１＝７．６７５、ＦＬ３／Ｆ１＝１．１０８、Ｆ２／｜Ｆ１｜＝１．０２７、ｎ８−ｎ７＝０．３１、ｖ７−ｖ８＝５６．７である。なお、従来技術に比べ、本実施例に係るズームレンズ１００のｆ数が２．８のような小さい値に調整されることができるので、口径比が比較的に大きい。
【００３１】
図２Ａないし図２Ｃは、ズームレンズが広角端にあるときにおける結像光学シミュレーションデータを示す図である。図３Ａないし図３Ｃは、ズームレンズが望遠端にあるときにおける結像光学シミュレーションデータを示す図である。そのうち、図２Ａと図３Ａは、光学の変調伝達関数（Ｍｏｄｕｌａｔｉｏｎ  Ｔｒａｎｓｆｅｒ  Ｆｕｎｃｔｉｏｎ：ＭＴＦ）の曲線図であり、その横軸はミリメータ毎のラインペア図であり、縦軸は識別率である。図２Ｂと図３Ｂは、フィールド湾曲（Ｆｉｅｌｄ  Ｃｕｒｖａｔｕｒｅ）と非点収差（Ａｓｔｉｇｍａｔｉｓｍ）図である。図２Ｃと図３Ｃは歪み図である。図２Ａないし図３Ｃに示す図によれば、ズームレンズ１００が広角端及び望遠端にあるときに測定されたＭＴＦ曲線図、フィールド湾曲、非点収差及び歪み図の図形は、全て標準の範囲内に置いてあるので、本発明のズームレンズ１００は、良好な結像品質を有する。
【００３２】
以下、ズームレンズ１００の三つの好適な実施例を例として説明する。そのうち、表４ないし表６は一実施例のデータであり、表７ないし表９は他の実施例のデータであり、表１０ないし表１２はもう一つの実施例のデータである。また、表４ないし表１２における符号の意味は、表１ないし表３のものと同じであるので、ここでは、その説明を省略する。なお、本発明は、次の実施例に挙げられるデータに限られず、本発明に基づいて本発明に対するあらゆる変更は本発明の範囲に属する。
【００３３】
【表４】
2008116915.tif 000006
【００３４】
【表５】
2008116915.tif 000007
【００３５】
【表６】
2008116915.tif 000008
また、この実施例において、｜Ｆ１｜／Ｆｗ＝１．８７８、ＦＬ２／Ｆ１＝１０．０４０、ＦＬ３／Ｆ１＝０．９９３、Ｆ２／｜Ｆ１｜＝１．０２７、ｎ８−ｎ７＝０．３１、ｖ７−ｖ８＝５６．１である。
【００３６】
【表７】
2008116915.tif 000009
【００３７】
【表８】
2008116915.tif 000010
【００３８】
【表９】
2008116915.tif 000011
また、この実施例において、｜Ｆ１｜／Ｆｗ＝１．８８１、ＦＬ２／Ｆ１＝８．２９２、ＦＬ３／Ｆ１＝１．０５７、Ｆ２／｜Ｆ１｜＝１．０２０、ｎ８−ｎ７＝０．３１、ｖ７−ｖ８＝５６．１である。
【００３９】
【表１０】
2008116915.tif 000012
【００４０】
【表１１】
2008116915.tif 000013
【００４１】
【表１２】
2008116915.tif 000014
また、この実施例において、｜Ｆ１｜／Ｆｗ＝１．８８０、ＦＬ２／Ｆ１＝８．２６８、ＦＬ３／Ｆ１＝１．０５７、Ｆ２／｜Ｆ１｜＝１．０２３、ｎ８−ｎ７＝０．３２、ｖ７−ｖ８＝５６．１である。
【００４２】
ゆえに、本発明のズームレンズは、少なくとも次の利点を有する。
【００４３】
１、第一のレンズ群と第二のレンズ群の屈折力がそれぞれ負、正である組合せを採用し、さらに、二つの非球面を有する第二のレンズと共に使用するので、歪み収差を有効に改善することができる。よって、本発明のズームレンズは、良好な結像品質を有する。
【００４４】
２、開口絞りを第二のレンズ群に設けることにより、ズームレンズの長さを有効に短くし、ズームレンズの構造をよりコンパクトにさせることができる。
【００４５】
３、本発明のズームレンズのｆ数が２．８まで小さくされても、良好な結像品質を維持することができる。
【００４６】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００４７】
【図１】本発明の一実施例に係るズームレンズが広角端及び望遠端にあるときの様子を示す図である。
【図２Ａ】本発明のズームレンズが広角端にあるときの結像光学シミュレーションデータを示す図である。
【図２Ｂ】本発明のズームレンズが広角端にあるときの結像光学シミュレーションデータを示す他の図である。
【図２Ｃ】本発明のズームレンズが広角端にあるときの結像光学シミュレーションデータを示す他の図である。
【図３Ａ】本発明のズームレンズが望遠端にあるときの結像光学シミュレーションデータを示す他の図である。
【図３Ｂ】本発明のズームレンズが望遠端にあるときの結像光学シミュレーションデータを示す他の図である。
【図３Ｃ】本発明のズームレンズが望遠端にあるときの結像光学シミュレーションデータを示す他の図である。
【符号の説明】
【００４８】
１００  ズームレンズ
１１０  第一のレンズ群
１１２  第一のレンズ
１１４  第二のレンズ
１１６  第三のレンズ
１１８  第四のレンズ
１２０  第二のレンズ群
１２２  第五のレンズ
１２４  第六のレンズ
１２６  第七のレンズ
１２７  第八のレンズ
１２８  第九のレンズ
Ｓ１〜Ｓ１７  表面
【図１】
2008116915.tif 000015
【図２Ａ】
2008116915.tif 000016
【図２Ｂ】
2008116915.tif 000017
【図２Ｃ】
2008116915.tif 000018
【図３Ａ】
2008116915.tif 000019
【図３Ｂ】
2008116915.tif 000020
【図３Ｃ】
2008116915.tif 000021